(57)【特許請求の範囲】
【請求項１】
電源部から電力の供給を受け、当該電力によって動作する処理部の周りの所定範囲内で、移動体を検出する検出手段と、
前記検出手段で前記移動体を検出したとき、前記処理部への電力供給を休止する節電モードから前記処理部に対して電力を供給する電力供給モードへ移行するか否かを判定する判定手段と、
前記判定手段の判定結果に基づいて、前記電力供給モード、及び、前記節電モードを選択的に実行する電力供給制御手段と、
前記検出手段を、前記処理部に対して、当該処理部を使用する前記移動体を特定するための位置、面積を含む検出領域を調整可能に取り付ける検出領域調整手段と、
前記検出領域調整手段により調整された前記検出手段で検出した前記移動体の検出履歴情報を取得する履歴取得手段とを有し、
前記処理部には、前記処理装置全体の左右方向に拡幅するように外観輪郭が変更される後付装置が着脱可能であり、前記検出領域調整手段が、当該後付装置の装着状態に基づいて前記処理装置の左右方向に検出領域を拡幅した扁平形状となるように前記検出領域を調整する電力供給監視装置。
【請求項２】
前記検出領域調整手段が、前記検出手段の検出面の一部を遮蔽することで検出領域を制限するマスクを備え、前記マスクの取付位置によって前記検出領域の調整を行なう請求項１記載の電力供給監視装置。
【請求項３】
前記マスクと前記検出手段との相対位置を変更可能な案内手段をさらに有し、
前記マスクには、予め複数の検出領域形態が形成されており、前記案内手段によって前記マスクと前記検出手段とを相対移動させることで、前記マスクに形成された検出領域形態を選択的に適用する請求項２記載の電力供給監視装置。
【請求項４】
前記請求項１〜請求項３の何れか１項記載の電力供給監視装置を備え、
原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置。
【発明の詳細な説明】
【技術分野】
【０００１】
本発明は、電力供給監視装置、画像処理装置に関する。
【背景技術】
【０００２】
特許文献１には、省エネルギー時に駆動が必要な人体検知センサを時分割駆動にしておき、実際に人体を検出したら時分割の周期を短くするなどして、時分割駆動による人体検知センサの平均電力を省エネすることが記載されている。また、機器が操作中の場合には、人体検知センサを駆動停止してさらに省エネすることも記載されている。
【０００３】
特許文献２には、画像処理装置に人感センサを設置して、当該画像処理装置に近づいてきた人を検出して、画像処理装置の電源を立上げて、消費電力の低減と利便性の両立を実現することが提案されている。
【０００４】
より詳しくは、人感センサとして、２点に設置された距離検出手段を採用し、人体の移動方向が所定のエリアに向かっているかどうかを判断し、その判断結果に基づいて、画像形成装置本体を制御しており、人感センサによる人体の接近の際、画像形成装置に近づいてきて、操作することなく素通りするといった事象（単なる歩行者）に対して、前記立上げが実行される場合を含んでいる。
【先行技術文献】
【特許文献】
【０００５】
【特許文献１】特開２００２−０７１８３３号公報
【特許文献２】特開平０５−０４５４７１号公報
【発明の概要】
【発明が解決しようとする課題】
【０００６】
本発明は、装置周りで移動体を検出する領域の最適化を図り、検出する移動体が操作実行者か否かの区別の確実性を向上することができる電力供給監視装置、画像処理装置を得ることが目的である。
【課題を解決するための手段】
【０００７】
請求項１に記載の発明は、電源部から電力の供給を受け、当該電力によって動作する処理部の周りの所定範囲内で、移動体を検出する検出手段と、前記検出手段で前記移動体を検出したとき、前記処理部への電力供給を休止する節電モードから前記処理部に対して電力を供給する電力供給モードへ移行するか否かを判定する判定手段と、前記判定手段の判定結果に基づいて、前記電力供給モード、及び、前記節電モードを選択的に実行する電力供給制御手段と、前記検出手段を、前記処理部に対して、当該処理部を使用する前記移動体を特定するための位置、面積を含む検出領域を調整可能に取り付ける検出領域調整手段と、前記検出領域調整手段により調整された前記検出手段で検出した前記移動体の検出履歴情報を取得する履歴取得手段とを有し、前記処理部には、前記処理装置全体の左右方向に拡幅するように外観輪郭が変更される後付装置が着脱可能であり、前記検出領域調整手段が、当該後付装置の装着状態に基づいて前記処理装置の左右方向に検出領域を拡幅した扁平形状となるように前記検出領域を調整することを特徴としている。
【０００８】
請求項２に記載の発明は、前記請求項１に記載の発明において、前記検出領域調整手段が、前記検出手段の検出面の一部を遮蔽することで検出領域を制限するマスクを備え、前記マスクの取付位置によって前記検出領域の調整を行なう。
【０００９】
請求項３に記載の発明は、前記請求項２に記載の発明において、前記マスクと前記検出手段との相対位置を変更可能な案内手段をさらに有し、前記マスクには、予め複数の検出領域形態が形成されており、前記案内手段によって前記マスクと前記検出手段とを相対移動させることで、前記マスクに形成された検出領域形態を選択的に適用する。
請求項２記載の電力供給装置。
【００１１】
請求項４に記載の発明は、前記請求項１〜請求項３の何れか１項記載の電力供給監視装置を備え、原稿画像から画像を読み取る画像読取部、画像情報に基づいて記録用紙に画像を形成する画像形成部、予め相互に定められた通信手順の下で画像を送信先へ送信するファクシミリ通信制御部の少なくとも１つを含んでおり、前記画像読取部、前記画像形成部、前記ファクシミリ通信制御部が、使用者から指示される、画像読取機能、画像形成機能、画像複写機能、ファクシミリ受信機能、ファクシミリ送信機能の各画像処理機能に対して、相互に連携しあって当該画像処理機能を実行する画像処理装置である。
【発明の効果】
【００１２】
請求項１、請求項４記載の発明によれば、装置周りで移動体を検出する領域の最適化を図り、検出する移動体が操作実行者か否かの区別の確実性を向上することができる。また、本構成を有しない場合に比べて処理装置の外観変化に適正にすることができる。
【００１３】
請求項２に記載の発明によれば、予め複数種類の検出領域の調整範囲を定めておくことができる。
【００１４】
請求項３に記載の発明によれば、本構成を有しない場合に比べて調整機構を簡素化することができる。
【図面の簡単な説明】
【００１６】
【図１】本実施の形態に係る画像処理装置の概略図である。
【図２】本実施の形態に係るメインコントローラと電源装置との概略構成図である。
【図３】（Ａ）は画像読取部の下面に取付けられた人感センサ及びその周辺の取付構造を示す斜視図、（Ｂ）は図３（Ａ）の拡大斜視図である。
【図４】（Ａ）は開口面積が異なる複数の開口部が形成されたマスクの正面図、（Ｂ）はそれぞれの開口部での検出領域を示す斜視図である。
【図５】（Ａ）は開口軸が左右に偏心した複数の開口部が形成されたマスクの正面図、（Ｂ）はそれぞれの開口部での検出領域を示す斜視図である（ＩＣカードリーダー対応）。
【図６】（Ａ）は開口位置が奥行き方向に偏心した複数の開口部が形成されたマスクの正面図、（Ｂ）はそれぞれの開口部での検出領域を示す斜視図である。
【図７】（Ａ）は開口位置、形状、面積等が異なる複数の自由形状開口部が形成されたマスクの正面図、（Ｂ）はそれぞれの開口部での検出領域を示す斜視図である（オプション装置対応）。
【発明を実施するための形態】
【００１７】
図１には、本実施の形態に係る画像処理装置１０が示されている。画像処理装置１０は、記録用紙に画像を形成する画像形成部２４０と、原稿画像を読み取る画像読取部２３８と、ファクシミリ通信制御回路２３６を備えている。画像処理装置１０は、メインコントローラ２００を備えており、画像形成部２４０、画像読取部２３８、ファクシミリ通信制御回路２３６を制御して、画像読取部２３８で読み取った原稿画像の画像データを一次的に記憶したり、読み取った画像データを画像形成部１２又はファクシミリ通信制御回路２３６へ送出したりする。
【００１８】
メインコントローラ２００にはインターネット等のネットワーク通信回線網２０が接続され、ファクシミリ通信制御回路２３６には電話回線網２２が接続されている。メインコントローラ２００は、例えば、ネットワーク通信回線網２０を介してホストコンピュータと接続され、画像データを受信したり、ファクシミリ通信制御回路２３６を介して電話回線網２２を用いてファクシミリ受信及びファクシミリ送信を実行する役目を有している。
【００１９】
画像形成部２４０は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、顕像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２０】
画像読取部２３８は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２１】
画像処理装置１０には、入力電源線２４４の先端にコンセント２４５も取り付けられており、壁面Ｗまで配線された商用電源２４２の配線プレート２４３に、当該コンセント２４５を差し込むことで電力の供給を受けるようになっている。
【００２２】
図２は、前記メインコントローラ２００によって制御されるデバイス、並びにメインコントローラ２００、並びに各デバイスへ電源を供給するための電源装置２０２の電源ラインを主体とした概略構成図である。
【００２３】
（メインコントローラ２００）
図２に示される如く、メインコントローラ２００は、ＣＰＵ２０４、ＲＡＭ２０６、ＲＯＭ２０８、Ｉ／Ｏ（入出力部）２１０、及びこれらを接続するデータバスやコントロールバス等のバス２１２を有している。Ｉ／Ｏ２１０には、ＵＩ制御回路２１４を介してＵＩタッチパネル２１６が接続されている。また、Ｉ／Ｏ２１０には、ハードディスク（ＨＤＤ）２１８が接続されている。ＲＯＭ２０８やハードディスク２１８等に記録されているプログラムに基づいて、ＣＰＵ２０４が動作することによって、メインコントローラ２００の機能を実現する。なお、該プログラムを格納した記録媒体（ＣＤ−ＲＯＭ、ＤＶＤ−ＲＯＭ等）から該プログラムをインストールし、これに基づいてＣＰＵ２０４が動作することにより画像処理機能を実現してもよい。
【００２４】
Ｉ／Ｏ２１０には、タイマ回路２２０、通信回線Ｉ／Ｆ２２２が接続されている。さらに、Ｉ／Ｏ２１０には、ファクシミリ通信制御回路（モデム）２３６、画像読取部２３８、画像形成部２４０の各デバイスに接続されている。
【００２５】
なお、前記タイマ回路２２０は、前記ファクシミリ通信制御回路２３６、画像読取部２３８、画像形成部２４０を節電状態（電源非供給状態）とするための契機として、初期設定時間の計時を行うものである。
【００２６】
メインコントローラ２００及び各デバイス（ファクシミリ通信制御回路２３６、画像読取部２３８、画像形成部２４０）は、電源装置２０２から電源が供給される（図２の点線参照）。なお、図２では、電源線を１本の線（点線）で示しているが、実際には２本〜３本の配線である。
【００２７】
（電源装置２０２）
図２に示される如く、商用電源２４２から引き込まれた入力電源線２４４は、メインスイッチ２４６に接続されている。メインスイッチ２４６がオンされることで、第１の電源部２４８及び第２の電源部２５０へ電力供給が可能となる。
【００２８】
第１の電源部２４８は、制御用電源生成部２４８Ａを備え、メインコントローラ２００の電源供給制御回路２５２に接続されている。電源供給制御回路２５２は、メインコントローラ２００に電源供給すると共に、Ｉ／Ｏ２１０に接続され、メインコントローラ２００の制御プログラムに従って、前記各デバイス（ファクシミリ通信制御回路２３６、画像読取部２３８、画像形成部２４０）への電源供給線を導通/非導通させるためのスイッチング制御を行う。
【００２９】
一方、第２の電源部２５０へ接続される電源線２５４には、第１のサブ電源スイッチ２５６（以下、「ＳＷ−１」という場合がある。）が介在されている。このＳＷ−１は、前記電源供給制御回路２５２で、オン・オフが制御されるようになっている。
【００３０】
また、第２の電源部２５０は、高電圧電源生成部２５０Ｈと低電圧電源生成部（ＬＶＰＳ）２５０Ｌを備えている。高電圧電源生成部２５０Ｈは主として画像形成部２４０の定着部のヒータ等で使用される電源であり、低電圧電源生成部２５０Ｌから生成される。
【００３１】
第２の電源部２５０の高電圧電源生成部２５０Ｈ及び低電圧電源生成部（ＬＶＰＳ）２５０Ｌは、選択的に、画像読取機能電源供給部２５８、画像形成機能電源供給部２６０、画像複写機能電源供給部２６２、ファクシミリ受信機能電源供給部２６４、ファクシミリ送信機能電源供給部２６６に接続されている。
【００３２】
画像読取機能電源供給部２５８は、低電圧電源生成部（ＬＶＰＳ）２５０Ｌを入力源として、第２のサブ電源スイッチ２６８（以下、「ＳＷ−２」という場合がある。）を介して、画像読取部２３８に接続されている。
【００３３】
画像形成機能電源供給部２６０は、高電圧電源生成部２５０Ｈと低電圧電源生成部（ＬＶＰＳ）２５０Ｌを入力源として、第３のサブ電源スイッチ２７０（以下、「ＳＷ−３」という場合がある。）を介して、画像形成部２４０に接続されている。
【００３４】
画像複写機能電源供給部２６２は、高電圧電源生成部２５０Ｈと低電圧電源生成部（ＬＶＰＳ）２５０Ｌを入力源として、第４のサブ電源スイッチ２７２（以下、「ＳＷ−４」という場合がある。）を介して、画像読取部２３８及び画像形成部２４０に接続されている。
【００３５】
ファクシミリ受信機能電源供給部２６４は、高電圧電源生成部２５０Ｈと低電圧電源生成部（ＬＶＰＳ）２５０Ｌを入力源として、第５のサブ電源スイッチ２７４（以下、「ＳＷ−５」という場合がある。）を介して、ファクシミリ通信制御回路２３６及び画像形成部２４０に接続されている。
【００３６】
ファクシミリ送信機能電源供給部２６６は、低電圧電源生成部（ＬＶＰＳ）２５０Ｌを入力源として、第６のサブ電源スイッチ２７６（以下、「ＳＷ−６」という場合がある。）を介して、ファクシミリ通信制御回路２３６及び画像読取部２３８に接続されている（通信レポート等の出力を除く）。
【００３７】
前記第２のサブ電源スイッチ２６８、第３のサブ電源スイッチ２７０、第４のサブ電源スイッチ２７２、第５のサブ電源スイッチ２７４、第６のサブ電源スイッチ２７６は、それぞれ前記第１のサブ電源スイッチ２５６と同様に、メインコントローラ２００の電源供給制御回路２５２からの電源供給選択信号に基づいて、オン・オフ制御される。
【００３８】
上記構成では、機能別に各デバイス（ファクシミリ通信制御回路２３６、画像読取部２３８、画像形成部２４０）を選択した電源を供給し、指示された機能に不要なデバイスへの電源を供給しないため、必要最小限の電力で済む。
【００３９】
（節電中の監視）
ここで、本実施の形態のメインコントローラ２００は、必要最小限の電力消費となるように、部分的にその機能を停止させる場合がある。或いは、メインコントローラ２００の大部分を含め、電力の供給を停止させる場合がある。その中で、常に電力を供給を受ける素子として、節電中監視制御部２４がＩ／Ｏ２１０に接続されている。この節電中監視制御部２４は、例えば、ＡＳＩＣと称される、自身で動作プログラムが格納され、当該動作プログラムで処理されるＣＰＵ，ＲＡＭ，ＲＯＭ等を備えたＩＣチップ等で構成することができる。
【００４０】
ところで、前記節電中の監視において、例えば、ＵＩタッチパネル２１６の操作や、所謂ハードキー（コピー指示、ファクシミ指示等を行なうための操作ボタン等）の操作があることで、節電中であったデバイスに対して、節電中監視制御部２４では、第１のサブ電源スイッチ２５６、第２のサブ電源スイッチ２６８、第３のサブ電源スイッチ２７０、第４のサブ電源スイッチ２７２、第５のサブ電源スイッチ２７４、第６のサブ電源スイッチ２７６を制御することで、電力を供給を行なうことが前提である。
【００４１】
また、メインコントローラ２００のＩ／Ｏ２１０には、節電解除ボタン２６が接続されており、節電中に使用者がこの節電解除ボタン２６を操作することで、節電が解除可能となっている。
【００４２】
ここで、前記ＵＩタッチパネル２１６の操作や所謂ハードキー（節電解除ボタン２６を含む）の操作を監視するためには、節電中監視制御部２４以外に、メインコントローラ２００のＵＩタッチパネル２１６等に電力を供給しておくことが前提となる。
【００４３】
従って、節電モードであっても、ＵＩタッチパネル２１６等の入力系を主体とした必要最小限の電力供給は供給されているのが現状である。
【００４４】
さらに、使用者が画像処理装置１０の前に立ち、その後に節電解除ボタン２６を操作して、電力供給を再開した場合、画像処理装置１０が立ち上がるまでに時間を要する場合があった。
【００４５】
そこで、本実施の形態では、上記節電モード中の監視体制によるメインコントローラ２００への電力供給量低減に対して、当該メインコントローラ２００へのさらなる電力供給量低減を目的として、前記節電中監視制御部２４に、人感センサ２８を設置すると共に、節電モードでは、人感センサ２８と、前記節電中監視制御部２４以外への電力供給を遮断するようにした。
【００４６】
なお、人感センサ２８は、「人感」としているが、これは、本実施の形態に則した固有名詞であり、少なくとも人が感知（検出）できればよく、言い換えれば、人以外の移動体の感知（検出）も含むものである。従って、以下において、人感センサの検出対象を「人」に言及する場合があるが、将来的には、人に代わって実行するロボット等も感知対象範囲である。なお、逆に、人と特定して感知できる特殊センサが存在する場合は、当該特殊センサを適用可能である。
【００４７】
人感センサ２８の仕様は、画像処理装置１０の周囲において、人の動きを検出するものである。この場合、焦電素子の焦電効果を用いた赤外線センサ等が代表的である。
【００４８】
この焦電素子の焦電効果を用いたセンサの最大の特徴は、検出領域が広いことである。また、人の動きを感知するため、検出領域内であって、人が静止していると、人の存在を検出しない。例えば、人の移動時にハイレベル信号が出力されている場合、検出範囲内の人が静止すると、当該信号がローレベル信号になるものである。
【００４９】
本実施の形態における「静止」とは、スチルカメラ等で撮影した静止画のように完全静止も当然含まれるが、例えば、人が画像処理装置１０の前に操作を目的として立ち止まることを含むものとする。従って、予め定めた範囲の微動があったり、手足、首等を動かすといった場合を静止の範疇とする。
【００５０】
なお、当該「静止」を定義して人感センサ２８の感度を調整するのではなく、感度は、比較的おおまか、かつ標準的に調整し、当該人感センサ２８の検出状態に依存するようにしてもよい。
【００５１】
人感センサ３０の仕様は、人の有無（存在・不存在）を検出するものであってもよい。このようなセンサは、投光部と受光部とを備えた反射型センサ等が代表的である。なお、投光部と受光部とが分離された形態であってもよい。
【００５２】
この反射型センサ等の最大の特徴は、受光部に入る光を遮断する／しないによって人の有無を確実に検出することである。また、投光部から投光される光量等により、受光部へ入射する光量に制限があるため、比較的近距離が検出領域である。
【００５３】
ここで、本実施の形態の画像処理装置１０に搭載される、前記人感センサ２８は、前述したように前記節電中監視制御部２４に接続され、その検出信号が節電中監視制御部２４へ入力されるようになっている。
【００５４】
節電中監視制御部２４では、人感センサ２８からの信号に基づいて、人の接近、さらには操作の意志を見極めるようになっている。
【００５５】
図３（Ａ）に示される如く、人感センサ２８は、基本的に画像処理装置１０の画像読取部２３８の手前側上面に設けられた操作パネルに対して裏面側、すなわち、下面側に固定的に取り付けられている。
【００５６】
人感センサ２８の検出光軸は、画像処理装置１０の前に立って操作を行なう使用者が存在すると予測される装置前方に向けられており、基本的に検出領域は、人感センサ２８における人の移動又は有無を検出する最大領域Ｍとなる（図４（Ｂ）〜図７（Ｂ）参照）。
【００５７】
ところで、画像処理装置１０では、その設置場所によって人の動きが異なる場合がある。すなわち、画像処理装置１０は、設置場所（例えば、事務所等）の環境によって異なる。環境によって異なるということは、人感センサ２８によって検出する対象が、実際の画像処理装置１０を操作する人以外の人（例えば、単に通りすぎる人、ほとんど画像処理装置１０に近づかない人等）も検出する可能性がある。
【００５８】
このため、本実施の形態では、画像処理装置１０の設置状態に基づいて、人感センサ２８による検出方向、検出領域、検出領域の形状（輪郭）を含む複数種の要素を調整可能な構造とした。この調整は、前記最大領域Ｍを基準とした、領域制限を意味するものである。
【００５９】
図３は、前記画像処理装置の操作パネルの下面に、人感センサ２８を取り付けるための取付構造が示されている。
【００６０】
操作パネルの下面部３０には、人感センサ２８を取り付けるための矩形状の溝部３２が取り付けられている。この溝部３２に、人感センサ２８が収容されている。
【００６１】
図３（Ｂ）に示される如く、人感センサ２８は、平板状の回路基板部２８Ａと、先端に検出面を備えた筒状の検出部２８Ｂとで構成されており、回路基板部２８Ａが前記溝部３２の底面に突き当てられた固定されている。この結果、検出部２８Ｂの検出面が溝部３２の開口部に位置する。なお、本実施の形態では、検出部２８Ｂにおける検出面の光軸は、回路基板２８Ａの主面に対して直角とされ固定配置されているが、例えば、検出部２８Ｂを回路基板部２８Ａに対して揺動可能に取り付けることで、検出面の光軸を自在に変更する構成としてもよい。この場合、後述する最大領域Ｍ（図４（Ｂ）〜図７（Ｂ）参照）の位置が、大きさを変えずに変更されることになる。なお、光軸の自在変更は、多軸構造、ボールジョイント構造、可撓性アーム構造等、特に限定されるものではない。
【００６２】
前記溝部３２周縁には、前記人感センサ２８の検出部２８Ｂにおける検出面に対向するように、マスク３４が選択的に配置されるようになっている。マスク３４は、開口面積、開口位置、開口形状が異なる開口部３４Ａが形成可能であり、図３（Ｂ）では、一例として、互いに開口位置が基本中心軸から偏心した３個の開口部３４Ａが形成されたマスク３４を示している。このマスク３４が取り付けられることで、人感センサ２８の検出領域である、前記最大領域Ｍ（図４（Ｂ）〜図７（Ｂ）参照）が制限されるようになっている。
【００６３】
前記溝部３２の周囲には、対向する一対の辺のそれぞれに沿って、互いに平行となるように一対の案内部材３６が取り付けられている。
【００６４】
案内部材３６は棒状で軸直角断面が略Ｌ字型に形成され、左右対称の状態で取り付けられている。
【００６５】
この一対の案内部材３６に案内されて、当該案内部材３６の長手方向一端部から、前記マスク３４が摺動するようになっている。マスク３４には、３箇所の取り付け基準中心（図３（Ｂ）の十字一点鎖線参照）が設定されており、マスク３４は、何れかの基準中心を前記検出部２８Ｂの検出面の光軸に合わせるように位置決めされている。
【００６６】
なお、マスク３４は、案内部材３６による摺動時の摩擦抵抗の状態にもよるが、前記位置決め後において、溝部３２の周囲にマスク２８をネジ止め、クリップ止め、弾性力による保持等々、周知の着脱可能な構造によって固定することが好ましい。
【００６７】
なお、後述するマスクパターン（図４〜図７参照）は、基本的なパターンをその形態別に分類した設定したものであるが、それぞれのパターンを複合的に設定したパターン（例えば、開口面積が小さく、かつ光軸がずれている、開口位置が左にずれ、かつ開口面積が大きい等）が設定されるマスクを準備してもよい。
【００６８】
なお、例えば、開口部が存在しないマスク３４を準備し、設置場所に基づいて開口部の形状を型取り板に型取りし、この型取り板基づいて、画像処理装置１０の設置現場でマスク３４を加工するようにしてもよい。また、加工は型取り板を用いず、自由に加工してもよい。
【００６９】
さらには、検出したい領域を入力することで、最適な開口部３４Ａの形状を演算処理するプログラムを備えた制御機器を搭載、或いは、サービスマンが形態するようにしてもよい。
【００７０】
上記マスク３４を取り付けることで、人感センサ２８による検出領域が最大範囲Ｍに対して制限され、画像処理装置１０の設置場所に基づいて、操作目的で画像処理装置１０に近づいてくる使用者とそれ以外とを、最大範囲Ｍを用いて判定するよりも、比較的高い確率で判定精度が向上される。
【００７１】
図４〜図７は、マスク３４における様々な開口部３４Ａのパターンが示されている。
【００７２】
図４は、開口面積が異なるパターンであり、図４（Ａ）の上からマスク非装着状態、相対的に中面積マスク状態、相対的に大面積マスク状態、相対的に小面積マスク状態を示している。
【００７３】
図５は、開口面積が制限され、かつ開口中心が左右に異なるパターンであり、図５（Ａ）の上からマスク非装着状態、相対的に非偏心マスク状態、相対的に左偏心マスク状態、相対的に右偏心マスク状態を示している。
【００７４】
図６は、開口面積が制限され、かつ開口中心が前後に異なるパターンであり、図６（Ａ）の上からマスク非装着状態、相対的に非偏心マスク状態、相対的に前偏心マスク状態、相対的に奥偏心マスク状態を示している。
【００７５】
図７は、開口部３４Ａが自由に形成されたマスク３４のパターンであり、図７（Ａ）の上からマスク非装着状態、扁平マスク状態、相対的に装置左位置ピンポイントマスク状態、相対的に装置右位置ピンポイントマスク状態を示している。
【００７６】
以下に本実施の形態の作用を説明する。
【００７７】
本実施の形態の画像処理装置１０では、予め定められた条件が揃うと、節電モードへ移行する。この節電モードでは、ファクシミリ通信制御回路２３６、画像読取部２３８、画像形成部２４０の各デバイスのみならず、節電中監視制御部２４を除くメインコントローラ２００、並びにＵＩタッチパネル２１６に対しても電力供給を遮断する。この場合、メインコトローラ２００に接続されている節電解除ボタン２６の機能も停止される。このため、周囲から画像処理装置１０を見ると、完全にメイン電源スイッチが切られている状態と同等の状態となる。すなわち、節電モードが確実に実行されていることが、周囲から確認可能な状態となる（「見える化」の実現）。
【００７８】
ここで、本実施の形態では、上記節電モード中の画像処理装置１０に対して、電力供給を再開させる契機として、人感センサ２８により、画像処理装置１０の周囲を監視して、当該画像処理装置１０に接近してくる人が操作を目的としているか否かを見極めて、電力供給を再開するか否かを判定するようにした。
【００７９】
ところで、人感センサ２８による人の検出で、節電モード中の画像処理装置１０に対して電力供給を再開する場合、当然、人感センサ２８で検出する人が、画像処理装置１０に対して、何らかの操作をする使用者であることが好ましい。しかしながら、人感センサ２８の検出範囲によっては、画像処理装置１０を近傍を通過する人、或いは画像処理装置に接近したとしてもそのまま通り過ぎる人等、実際の画像処理装置１０に電力供給を再開する必要がない状況が考え得る。その原因の１つとして、画像処理装置１０の設置場所がある。すなわち、画像処理装置１０が狭い通路に置かれると、人が通過する度に人感センサ２８でこれを検出する場合がある。また、画像処理装置１０が柱に沿って置かれたり、凹んだ場所に置かれることで、画像処理装置１０の２方面または３方面が遮られる場合、操作しようとする人が接近しても、これを検出できない場合がある。
【００８０】
或いは、画像処理装置１０に、ＩＣカードリーダ３８（図５参照）、自動仕分装置４０（図７参照）や大容量用紙収容装置４２（図７参照）等の外形が変化するようなオプション装置が取り付けられることで、人感センサ２８の検出領域に所謂死角が発生する場合がある。
【００８１】
そこで、本実施の形態では、画像処理装置１０の設置場所や設置状況に基づいて、簡単な構成で人感センサ２８の検出領域を調整する構成を具備した。基本的には、画像処理装置１０に取り付けた人感センサ２８の検出部２８Ｂの検出面をマスク３４によって一部を遮ることで、検出範囲を制限する構造であり、本実施の形態では、それぞれ３種類の開口部３４Ａが形成された複数のマスク３４を示した。
【００８２】
以下、図４〜図７に従い、それぞれのマスク３４の使途について説明する。
【００８３】
なお、マスク非装着状態は、人感センサ２８の検出部２８Ｂの検出面を最大限利用するものであり（図４〜図７のそれぞれに示す最大領域Ｍ）、比較的に広い設置場所において、画像処理装置１０に近づいてくる人を確実にかつ早期に人感センサ２８により検出する場合に適している。
【００８４】
図４（Ａ）に示される如く、開口部３４Ａの開口面積が異なるパターン（相対的に中面積、大面積、小面積）が形成されたマスク３４を一対の案内部材３６に沿って摺動させると、図４（Ｂ）に示されるように、同軸円上に異なる半径の検出範囲が設定可能である。
【００８５】
従って、画像処理装置１０の設置場所が通路である場合、その通路の幅寸法等に合わせて、マスク３４を摺動させることで、最大範囲Ｍを含めて４種類の検出範囲の中から選択して設定する。
【００８６】
図５（Ａ）に示される如く、開口部３４Ａの開口面積が制限され、かつ開口中心が左右に異なるパターン（相対的に非偏心、左偏心、右偏心）が形成されたマスク３４を一対の案内部材に沿って摺動させると、図５（Ｂ）に示されるように画像処理装置１０の幅方向に沿うように３箇所の検出範囲が設定可能である。
【００８７】
従って、例えば、画像処理装置１０の画像読取装置２３８の左右の何れかに認証処理用のＩＣカードリーダ３８が設置され、画像処理装置１０への最初の操作が必ず認証処理であるような場合、当該ＩＣカードリーダ３８の設置場所（画像読取部２３８の右側、或いは左側）によって、検出範囲を設定すればよい。
【００８８】
図６（Ａ）に示される如く、開口部３４Ａの開口面積が制限され、かつ開口中心が前後に異なるパターン（相対的に非偏心、前偏心奥偏心）が形成されたマスク３４を一対の案内部材に沿って摺動させると、図６（Ｂ）に示されるように画像処理装置１０の奥行き方向に沿うように３箇所の検出範囲が設定可能である。
【００８９】
従って、例えば、画像処理装置１０の設置場所が、柱に沿って置かれたり、凹んだ場所に置かれ、正面からしか操作を目的とする人が近づいてこないような場合、その近づく通路方向に合わせて、マスク３４を摺動させることで、３種類の検出範囲の中から選択して設定する。
【００９０】
なお、図４〜図６では、開口部３４Ａを円形としたが、矩形、多角形、楕円形、星形等、形状は限定されるものではなく、また、１種類のマスク位置に２以上の開口部が形成されていてもよい。
【００９１】
図７（Ａ）に示される如く、開口部３４Ａが自由パターン（扁平、装置左位置ピンポイント装置右位置ピンポイント）で形成されたマスク３４を一対の案内部材に沿って摺動させると、図７（Ｂ）に示されるように画像処理装置１０の設置場所やオプション装着状態に合わせて３箇所の検出範囲が設定可能である。
【００９２】
例えば、扁平形状の開口部３４Ａを適用されると、画像処理装置１０の左右にオプション装置（自動仕分装置４０や大容量用紙収容装置４２）が取り付けられた状態で狭い通路に設置された場合に、オプション装置を含め全ての前面において奥行き方向は狭く設定されるので、通路の反対側の通る人は検知されず、画像処理装置１０に接近する人が検出される。なお、この場合、例えば、オプション装置としての大容量用紙収容装置４２に用紙を補給するために画像処理装置１０に近づいてきた場合、この大容量用紙収容装置４２の前にきただけで人感センサ２８を人を検知し、電力供給が再開されたメインコントローラ２００によって用紙補給状態が認識されることになる。
【００９３】
なお、本実施の形態では、固定された人感センサ２８に対して、マスク３４を案内部材３６に沿って摺動させて、開口部３４Ａを選択する構成としたが、予め開口部３４Ａ或いはこれに準じる複数の検出面制限部を予め画像処理装置１０に形成しておき、検出面制限部材の中から１つまたは複数選択して、１個又は複数の人感センサ２８を取付ける構成としてもよい。
【００９４】
また、マスク３４の移動は直線的な摺動に限られるものではなく、当然１枚１枚交換する構成でもよいし、例えば円板の周縁に複数の開口部３４Ａを形成し、回転させることで開口部３４Ａを選択する、所謂ターレット式であってもよい。さらには、人感センサ２８を三次元的に移動可能な架台に支持するようにし、検出面の光軸の調整の自由度を増してもよい。
【００９５】
また、本実施の形態では、節電モード中の電力（節電中監視制御部２４の起動に利用する電力）を商用電源２４２から供給を受けるようにしたが、内部電池、太陽電池、或いは、電力供給モード中に充電した充電池からの電力で動作するようにすれば、節電モード中は完全に商用電源２４２からの電力供給が遮断される。
【００９６】
さらに、図２では、指示される処理機能毎に必要なデバイス（ファクシミリ通信制御回路２３６、画像読取部２３８、画像形成部２４０やメインコントローラ２００の一部、ＵＩタッチパネル２１６等）を独立して電力供給・遮断を実行する構成としたが、例えば、電力供給モードでは全てのデバイスに電力が供給され、一方、節電モード中では、少なくとも、人感センサ２８及びその監視制御系（節電中監視制御部２４）にのみ電力が供給され得る構成であればよい。
【００９７】
また、人感センサ２８で検出した移動体の検出履歴情報に基づいて、使用目的で近づいてくる使用者を特定する確率の高い取付状態を決定するようにしてもよい。さらに、電力供給モード中、或いは節電モード中において充分な電力が確保できる場合、モータ等の駆動源を用いて、前記検出履歴情報に基づいて、人感センサ２８の向きや、マスク３４の開口部３４Ａの選択ための移動を自動的に調整可能としてもよい。
【符号の説明】
【００９８】
Ｗ    壁面
２０    ネットワーク通信回線網
２２    電話回線網
２４    節電中監視制御部
２６    節電解除ボタン
２８    人感センサ
２８Ａ    回路基板部
２８Ｂ    検出部
３０    下面
３２    溝部
３４    マスク
３４Ａ    開口部
３６    案内部材
３８    ＩＣカードリーダ
４０    自動仕分装置
４２    大容量用紙収容装置
２００    メインコントローラ
２０４    ＣＰＵ
２０６    ＲＡＭ
２０８    ＲＯＭ
２１０    Ｉ／Ｏ（入出力部）
２１２    バス
２１４    ＵＩ制御回路
２１６    ＵＩタッチパネル
２１８    ハードディスク
２２０    タイマ回路
２２２    通信回線Ｉ／Ｆ
２３６    ファクシミリ通信制御回路
２３８    画像読取部
２４０    画像形成部
２４２    商用電源
２４３    配線プレート
２４４    入力電源線
２４５    コンセント
２４６    メインスイッチ
２４８    第１の電源部
２５０    第２の電源部
２４８Ａ    制御用電源生成部
２５２    電源供給制御回路（電力供給制御手段）
２５４    電源線
２５６    第１のサブ電源スイッチ（「ＳＷ−１」）
２５０Ｈ    高電圧電源生成部
２５０Ｌ    低電圧電源生成部
２５８    画像読取機能電源供給部
２６０    画像形成機能電源供給部
２６２    画像複写機能電源供給部
２６４    ファクシミリ受信機能電源供給部
２６６    ファクシミリ送信機能電源供給部
２６８    第２のサブ電源スイッチ（「ＳＷ−２」）
２７０    第３のサブ電源スイッチ（「ＳＷ−３」）
２７２    第４のサブ電源スイッチ（「ＳＷ−４」）
２７４    第５のサブ電源スイッチ（「ＳＷ−５」）
２７６    第６のサブ電源スイッチ（「ＳＷ−６」）
【図１】
0005195877.tif 000002
【図２】
0005195877.tif 000003
【図３】
0005195877.tif 000004
【図４】
0005195877.tif 000005
【図５】
0005195877.tif 000006
【図６】
0005195877.tif 000007
【図７】
0005195877.tif 000008